(57)【特許請求の範囲】
【請求項１】
本体と、光源ユニットと、電池ユニットと、点灯ユニットと、カバーとを備え、
前記電池ユニットは、電池と、前記電池を収容する電池ケースとを有し、
前記点灯ユニットは、前記電池から供給される電力で前記光源ユニットを点灯させる点灯装置を有して前記本体に支持され、
前記電池ケースは、前記カバーに着脱可能に固定され、かつ、前記カバーとともに前記本体に支持されており、
前記カバーは、前記光源ユニットから放射される光が通過する窓孔を有し、かつ、前記電池ケースが固定された状態で前記本体に着脱可能に装着されることを特徴とする非常用照明装置。
【請求項２】
前記カバーは、前記本体と対向する後面に、１つ又は複数の第１結合部が設けられ、前記電池ケースは、１つ又は複数の前記第１結合部と各別かつ着脱可能に結合する１つ又は複数の第２結合部が設けられていることを特徴とする請求項１記載の非常用照明装置。
【発明の詳細な説明】
【技術分野】
【０００１】
本発明は、非常用照明装置に関し、より詳細には電力系統の停電時に電池から供給される電力で非常用照明を行う非常用照明装置に関する。
【背景技術】
【０００２】
従来例として、特許文献１記載の非常灯を例示する。特許文献１記載の非常灯（以下、従来例という）は、光源部と、光源部を支持する枠部材と、バッテリと、バッテリを電源として光源部を点灯させる点灯ユニットと、バッテリ及び点灯ユニットを内部に収容し、かつ、枠部材が取り付けられる器具本体とを備える。枠部材は、器具本体の開口面に嵌め込まれ、側方からねじ止めされて器具本体に固定される。
【先行技術文献】
【特許文献】
【０００３】
【特許文献１】特開２０１２−８４３２４号公報
【発明の概要】
【発明が解決しようとする課題】
【０００４】
このような非常用照明装置は、一つの建物に非常に多くの台数が設置されるので、バッテリ（電池）の交換作業を簡素化することが望まれている。
【０００５】
本発明は、上記課題に鑑みてなされており、電池の交換作業の容易化を図ることを目的とする。
【課題を解決するための手段】
【０００６】
本発明の非常用照明装置は、本体と、光源ユニットと、電池ユニットと、点灯ユニットと、カバーとを備え、前記電池ユニットは、電池と、前記電池を収容する電池ケースとを有し、前記点灯ユニットは、前記電池から供給される電力で前記光源ユニットを点灯させる点灯装置を有して前記本体に支持され、前記電池ケースは、前記カバーに着脱可能に固定され、かつ、前記カバーとともに前記本体に支持されており、前記カバーは、前記光源ユニットから放射される光が通過する窓孔を有し、かつ、前記電池ケースが固定された状態で前記本体に着脱可能に装着されることを特徴とする。
【発明の効果】
【０００７】
本発明の非常用照明装置は、電池の交換作業の容易化を図ることができるという効果がある。
【図面の簡単な説明】
【０００８】
【図１】実施形態に係る非常用照明装置の分解斜視図である。
【図２】実施形態に係る非常用照明装置を示し、図２Ａは背面図、図２Ｂは正面図、図２Ｃは平面図である。
【図３】実施形態に係る非常用照明装置を示し、カバーを省略し、かつ、電池ケースの一部を破断した正面図である。
【図４】実施形態に係る非常用照明装置を示し、カバーが取付ばねによって本体に仮保持されている状態の側面図である。
【図５】実施形態に係る非常用照明装置における点灯装置の回路ブロック図である。
【図６】実施形態に係る非常用照明装置における光源ユニットの縦断面図である。
【図７】実施形態に係る非常用照明装置におけるカバーと電池ユニットの斜視図である。
【図８】実施形態に係る非常用照明装置におけるカバーと電池ユニットを示し、片側の取付ばねを省略した側面図である。
【図９】別の実施形態に係る非常用照明装置（直付け型の非常用照明装置）の斜視図である。
【図１０】別の実施形態に係る非常用照明装置（直付け型の非常用照明装置）を示し、カバーが取付ばねによって本体に仮保持されている状態の斜視図である。
【発明を実施するための形態】
【０００９】
以下、本実施形態に係る非常用照明装置Ｘについて、図面を参照して詳細に説明する。本実施形態に係る非常用照明装置Ｘは、電池内蔵型の非常灯（非常用照明器具）として構成されている。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
本実施形態に係る非常用照明装置Ｘは、図１に示すように、本体１、光源ユニット２、電池ユニット３、点灯ユニット４、カバー５、支持具６並びに取付ばね７を備え、建物の通路や廊下などの天井に埋込配設される。ただし、以下の非常用照明装置Ｘの説明では、図１において上下、左右、前後の各方向を規定する。
【００１１】
光源ユニット２は、図６に示すように、ＬＥＤモジュール２０、放熱部材２１、レンズブロック２２、取付部材２３、押さえ部材２４、熱伝導シート２５並びにプラグコネクタ２６などを備えることが好ましい。ＬＥＤモジュール２０は、矩形平板状の実装基板２００の上面中央に１個又は複数個のＬＥＤチップ（固体発光素子）が実装される。これらのＬＥＤチップは、例えば、青色光を放射する青色発光ダイオードであることが好ましい。また、ＬＥＤチップを含む実装基板２００の上面は、ＬＥＤチップから放射される青色光を波長変換する蛍光物質が混入された封止樹脂で円盤状に被われる。さらに、実装基板２００の対角の位置にある一対の角部の上面には、カソードの電極とアノードの電極が形成されている。なお、ＬＥＤモジュール２０は、アノードの電極とカソードの電極に直流電圧が印加されることにより、白色の照明光を放射するように構成される。
【００１２】
熱伝導シート２５は、高熱伝導率、電気絶縁性及び難燃性を有するシリコーン樹脂製の
シート材で構成されることが好ましい。熱伝導シート２５は、ＬＥＤモジュール２０の実装基板２００と放熱部材２１との間に介在し、ＬＥＤチップから発せられて実装基板２００を通して伝導される熱を、放熱部材２１に伝導するように構成される。
【００１３】
押さえ部材２４は、例えば、ポリカーボネート樹脂などの合成樹脂材料によって、おおよそ円盤状に形成されることが好ましい。押さえ部材２４は、中央にほぼ矩形の孔２４０を有する。また、押さえ部材２４の上面における孔２４０の周囲に凹所２４１が設けられる。さらに、押さえ部材２４の上面において、孔２４０の対角の位置に、押さえ突起２４２がそれぞれ形成されている。また、押さえ部材２４は、角筒状のコネクタ保持部２４３を有する。このコネクタ保持部２４３は、プラグコネクタ２６を内側に収容して保持するように構成される（図６参照）。
【００１４】
プラグコネクタ２６は、一対のコンタクトと、これら一対のコンタクトを電気的に絶縁した状態で支持するコネクタハウジング２６０とを有する。片方のコンタクトは、電線を介してＬＥＤモジュール２０のカソード電極と電気的に接続される。もう片方のコンタクトは、別の電線を介してＬＥＤモジュール２０のアノード電極と電気的に接続される。
【００１５】
レンズブロック２２は、例えば、ガラス製であって、おおよそ円錐台形状のレンズ部２２０と、レンズ部２２０の周縁から外向きに突出する円環状の外鍔部２２１とを有することが好ましい（図１及び図６参照）。レンズ部２２０は、図６に示すように、おおよそ回転放物面形状の入射面２２００が形成されている。レンズ部２２０は、入射面２２００に入射する光（ＬＥＤモジュール２０から放射される照明光）の配光を制御するように構成される。
【００１６】
取付部材２３は、例えば、ポリカーボネート樹脂などの合成樹脂材料によって、おおよそ円環状に形成されることが好ましい（図１参照）。取付部材２３は、枠部２３０、一対の引掛部２３２、固定部２３３などを有することが好ましい（図６参照）。枠部２３０は、円環状の主部２３００と、主部２３００の外周縁から全周に渡って下向きに突出する円筒形状の周壁部２３０１とを有する。主部２３００は、円形の窓孔２３１を有する。一対の引掛部２３２は、周壁部２３０１の左前及び右前の下面から下向きに突出するように周壁部２３０１と一体に形成されることが好ましい。引掛部２３２は、周壁部２３０１から下向きに突出する直方体状の突片２３２０と、突片２３２０から周壁部２３０１と並行して突出する直方体状の引掛片２３２１とを有する（図１参照）。つまり、引掛部２３２は、全体としてＬ字状に形成されることが好ましい。固定部２３３は、おおよそ台形状に形成されることが好ましい。固定部２３３は、枠部２３０の周壁部２３０１における後面から後方へ突出するように、周壁部２３０１と一体に形成されることが好ましい（図１参照）。なお、固定部２３３は、中央に円形のねじ挿通孔２３３０が設けられることが好ましい。
【００１７】
放熱部材２１は、アルミ又はアルミ合金製の板材で構成され、ＬＥＤモジュール２０と熱結合される結合部２１０と、点灯ユニット４の筐体４１に固定される固定部２１１とを有することが好ましい（図６参照）。さらに、放熱部材２１は、結合部２１０と固定部２１１を繋ぐ連結部２１２を有することが好ましい。結合部２１０は、おおよそ円盤状に形成されることが好ましい。固定部２１１は、おおよそ台形状に形成されることが好ましい。連結部２１２は、矩形に形成されることが好ましい。ただし、固定部２１１は、結合部２１０及び連結部２１２のいずれよりも左右方向の幅寸法を大きくするように構成されることが好ましい（図１及び図３参照）。
【００１８】
結合部２１０の前端における左右両側には、それぞれ被引掛部２１３が設けられる（図１参照）。被引掛部２１３は、取付部材２３の引掛部２３２を放熱部材２１の厚み方向（上下方向）に通過させ、かつ、引掛部２３２を厚み方向と交差する方向（左右方向及び前後方向）に移動可能に構成されることが好ましい。被引掛部２１３は、放熱部材２１（の結合部２１０）の周縁部分に形成される切欠２１３０を有することが好ましい。切欠２１３０は、おおよそ矩形に形成されることが好ましい。被引掛部２１３は、切欠２１３０と、切欠２１３０の隣（左隣）に位置する部位とで構成されることが好ましい（図１参照）。ただし、被引掛部２１３は、切欠２１３０の代わりに、放熱部材２１を厚み方向に貫通する孔を有してもよい。この場合、被引掛部２１３は、孔と、孔の隣に位置する部位（被引掛部位）とで構成される。
【００１９】
固定部２１１には、２つの丸孔２１１０と、１つのねじ孔（第１ねじ孔２１１１）とが設けられる（図１参照）。２つの丸孔２１１０は、左右方向に一列に並ぶように設けられることが好ましい。第１ねじ孔２１１１は、固定部２１１の右端近くに設けられることが好ましい。また、連結部２１２には、矩形の挿通孔２１２０と、ねじ孔（第２ねじ孔）とが設けられることが好ましい。挿通孔２１２０は、連結部２１２のほぼ中央に設けられて押さえ部材２４のコネクタ保持部２４３が挿通される（図６参照）。また、第２ねじ孔は、挿通孔２１２０の左後方の位置に設けられ、取付部材２３の固定部２３３のねじ挿通孔２３３０に挿通されるねじがねじ込まれる。
【００２０】
本体１は、下面が開口した有底筒状に形成される。また、本体１は、左右両側に平坦な面（平坦面）を有し、それらの平坦面を除く周面が円筒面となるように構成されている。さらに、本体１の下端縁には、外向きに突出する円環状のフランジ１０が形成されている（図１及び図３参照）。なお、本体１は、本体１の下端の近傍における左前方の位置から内側に突出する被固定部１２を有することが好ましい。この被固定部１２は矩形の平板状に形成され、先端の近傍にねじ挿通孔１２０が設けられることが好ましい（図１及び図３参照）。
【００２１】
本体１の左右両側の平坦面には、それぞれ支持具６が１つずつ取り付けられている（図２Ａ及び図２Ｃ参照）。これら一対の支持具６は、長尺の板ばね状に形成されることが好ましい。それぞれの支持具６は、長手方向の一端部で本体１の平坦面に固定され、かつ、長手方向の他端部が本体１の底板１１に近付く向き（上向き）に撓み可能に構成されている。つまり、本体１は、埋込孔内に挿入される一対の支持具６と、本体１の下端面に設けられるフランジ１０との間で天井材を挟み込むようにして天井材に支持される。
【００２２】
電池ユニット３は、複数本の電池３０と、これら複数本の電池３０を収容する電池ケース３１とを有する（図１及び図３参照）。電池３０は、例えば、円筒形のニッカド電池、あるいは、円筒形のニッケル水素電池などの２次電池が好ましい。電池ケース３１は、上下両側の底面が馬蹄形（Ｕ字形）である筒状に形成されることが好ましい。複数本の電池３０は、軸方向を上下方向とし、径方向に沿って一列に並ぶように電池ケース３１内に収容されることが好ましい。
【００２３】
電池ケース３１の下側の前端部には、点灯ユニット４と電気的に接続されるコネクタ部３２が設けられている（図１参照）。コネクタ部３２は、一対のコンタクトと、これら一対のコンタクトを電気的に絶縁した状態で支持するコネクタハウジング３２０とを有する。片方のコンタクトは、電池ケース３１内で電気的に直列接続されている複数本の電池３０のうちの一方の端の電池３０の正極と電気的に接続される。もう片方のコンタクトは、他方の端の電池３０の負極と電気的に接続される。
【００２４】
点灯ユニット４は、点灯装置４０と、点灯装置４０を収容する筐体４１とを有する。点灯装置４０の回路ブロック図を図５に示す。点灯装置４０は、直流電源回路４００、充電回路４０１、点灯回路４０２、停電検出回路４０３、制御回路４０４、モニタランプ４０５、押釦スイッチ４０６、受信部４０７などを備えることが好ましい。
【００２５】
直流電源回路４００は、例えば、リンギングチョークコンバータなどの自励型のスイッチング電源回路で構成され、外部電源（例えば、商用の電力系統）Ｗから供給される交流電圧を、当該交流電圧の実効値よりも低い直流電圧に変換することが好ましい。充電回路４０１は、外部電源Ｗから給電されているときに動作し、直流電源回路４００から電池ユニット３へ一定の充電電流を流すように構成されることが好ましい。点灯回路４０２は、電池ユニット３から供給される直流電流を定電流化して光源ユニット２に供給するように構成されることが好ましい。停電検出回路４０３は、直流電源回路４００の出力電圧から外部電源Ｗの停電を検出して制御回路４０４に通知するように構成される。モニタランプ４０５は、例えば、緑色光を放射する発光ダイオードで構成され、充電回路４０１から電池ユニット３に供給される充電電流によって発光させられることが好ましい。受信部４０７は、赤外線を通信媒体とする無線信号を受信し、受信した無線信号から送信フレームを復調して制御回路４０４に渡すように構成される。この無線信号は、定期点検の作業を行う作業者に操作されるワイヤレス送信器から送信される。なお、定期点検とは、法令で定められた期間ごとに実施され、点灯回路４０２を強制的に動作させて光源ユニット２が規定の時間以上、点灯状態を維持することを確認することを目的とする。
【００２６】
制御回路４０４は、停電検出回路４０３が停電を検出していないとき、充電回路４０１を動作させ、かつ、点灯回路４０２を停止させるように構成される。また、制御回路４０４は、停電検出回路４０３が停電を検出しているとき、充電回路４０１を停止させ、かつ、点灯回路４０２を動作させるように構成される。さらに、制御回路４０４は、一方の押釦スイッチ４０６Ａが押操作された場合、あるいは、受信部４０７から送信フレームを受け取った場合、充電回路４０１を停止させ、かつ、点灯回路４０２を動作させて定期点検動作を行うように構成される。ただし、制御回路４０４は、他方の押釦スイッチ４０６Ｂが押操作された場合は、点灯回路４０２を数秒間動作させた後、再度、点灯回路４０２を停止させ、かつ、充電回路４０１を動作させるように構成されることが好ましい。
【００２７】
点灯装置４０は、プリント配線板からなる回路基板の第１面に実装される種々の電子部品と、回路基板の第２面（第１面の裏面）に形成される導体とで直流電源回路４００から制御回路４０４までの各回路を実現するように構成される。なお、モニタランプ４０５、及び２つの押釦スイッチ４０６Ａ、４０６Ｂは、いずれも回路基板の第１面における下端近くに実装されることが好ましい（図３参照）。
【００２８】
点灯ユニット４の筐体４１は、上下両側の底面が六角形である筒状に形成されることが好ましい。ただし、筐体４１の２つの底面は、１つの辺（第１辺）が対向する他の１つの辺（第２辺）よりも長く、かつ、第１辺の両側の２つの辺（第３辺及び第４辺）が平行となる六角形に形成されることが好ましい（図３参照）。筐体４１の下面には、３つの開口部４１０Ａ、４１０Ｂ、４１０Ｃが前後方向に一列に並ぶように設けられている。前端の開口部４１０Ａの奥には、電池ユニット３のコネクタ部３２と前後方向に挿抜可能に接続される受け側のコネクタが配置されている。また、中央の開口部４１０Ｂの奥には、光源ユニット２のプラグコネクタ２６と前後方向に挿抜可能に接続されるレセプタクルコネクタが配置されている。さらに、後端の開口部４１０Ｃの奥には、モニタランプ４０５、２つの押釦スイッチ４０６Ａ、４０６Ｂ、受信部４０７及び２つの操作部材４２が配置されている。これら２つの操作部材４２は、上下方向に移動可能に設けられており、上向きに移動する際に、それぞれ押釦スイッチ４０６Ａ、４０６Ｂの押釦を押操作するように構成されることが好ましい。また、筐体４１は、速結式の端子台４３を保持するように構成されることが好ましい（図２Ｃ参照）。
【００２９】
点灯ユニット４は、図１及び図３に示すように、筐体４１の上面及び下面の第２辺を平坦面に沿わせるようにして、本体１内に収容される。そして、点灯ユニット４は、筐体４１の上面が本体１の底板１１に設けられた固定片１１０にねじ止めされることによって、本体１に固定される（図２Ａ参照）。ただし、筐体４１に保持された端子台４３は、図２Ｃに示すように、本体１の底板１１に設けられる段差部１１１の孔１１１０を通して、差込口４３０を本体１の外に露出させることが好ましい。つまり、これらの差込口４３０に電源線の導体が差し込まれることにより、端子台４３を介して外部電源Ｗと点灯装置４０とが電気的に接続される。
【００３０】
カバー５は、本体１のフランジ１０の外径よりも大きい円盤状に形成され、中央に円形の窓孔５０が設けられている（図１及び図２Ｂ参照）。この窓孔５０には、光源ユニット２のレンズ部２２０が挿通される。カバー５は、本体１の前面の開口を開放可能に塞ぐように構成されている。カバー５の上面における前端及び後端には、それぞれ取付ばね７が取り付けられている。これら一対の取付ばね７は、本体１の内周面の前側及び後側にそれぞれ一対ずつ設けられる挿通溝１３に抜き差し可能に挿通される。つまり、カバー５は、一対の取付ばね７がそれぞれ一対の挿通溝１３に挿通されることにより、本体１の下面を閉塞する状態で本体１に保持される（図２Ｃ参照）。
【００３１】
一対の挿通溝１３は、本体１の内周面と、本体１の内周面から内側に突出する一対の引掛部１３０とで構成される（図３参照）。一対の引掛部１３０は、それぞれ上下方向から見てＬ字形状に形成されることが好ましい。また、一対の引掛部１３０は、互いの開口部分を前後方向に対向させるように配置される（図３参照）。また、本体１の内周面における一対の引掛部１３０の下方には、仮保持部１５がそれぞれ設けられる（図１及び図３参照）。これらの仮保持部１５は、前後方向から見てＬ字形状に形成されることが好ましい。なお、一対の引掛部１３０及び仮保持部１５は、図３に示すように、本体１の内周面において、電池ユニット３と点灯ユニット４が本体１内で並ぶ方向（左右方向）と交差する方向（例えば、前後方向）の両側にそれぞれ配置される。
【００３２】
取付ばね７は、一対のＶ字形状のばね部７０と、これら一対のばね部７０の一端（上端）同士を連結する連結部７１とを有し、一対のばね部７０の突出部位（中間部位）同士が反対向きに突出するように構成される（図１参照）。なお、取付ばね７を構成する一対のばね部７０と連結部７１は、例えば、金属製の線材が略Ｕ字状に折り曲げられることにより、一体に形成されることが好ましい。取付ばね７は、一対のばね部７０の他端（連結部７１で連結されていない方の端）が保持金具５１に保持されることで、一対のばね部７０の他端を支点として回転可能にカバー５に取り付けられる（図７参照）。
【００３３】
ところで、本実施形態に係る非常用照明装置Ｘは、電池ユニット３（の電池ケース３１）がカバー５に着脱可能に装着されている。すなわち、電池ケース３１は、前端部及び後端部の下端の近くに、それぞれ第２結合部３１０が設けられている（図７及び図８参照）。第２結合部３１０は、おおよそ三角柱状であって、斜面を上に向けて電池ケース３１の左側面から突出するように設けられている。ただし、２つの第２結合部３１０のうちで後方の第２結合部３１０は、ばね片３１１と一体に設けられることが好ましい。ばね片３１１は、上端が電池ケース３１に固定されて左右方向に撓み可能に構成されている（図７参照）。そして、ばね片３１１の下端寄りの左側面に、第２結合部３１０が一体に設けられている。
【００３４】
一方、カバー５は、２つの第２結合部３１０が各別に結合される２つの第１結合部５３を備えている。これら２つの第１結合部５３は、おおよそ鉤形の撓み片５３０と、撓み片５３０の下端から撓み片５３０の厚み方向の両側に突出する矩形板状の脚片５３１とをそれぞれ有している（図７参照）。なお、第１結合部５３は、合成樹脂材料によって撓み片５３０と脚片５３１とが一体に形成されることが好ましい。また、これら２つの第１結合部５３は、脚片５３１がカバー５の上面に接着や熱かしめなどの適宜の方法で固着されることが好ましい。ただし、第１結合部５３は、金属材料で形成されても構わない。
【００３５】
次に、本実施形態に係る非常用照明装置Ｘの組立手順を説明する。ただし、一対の支持具６は、既に本体１に取り付けられている。
【００３６】
まず、組立作業を行う作業者は、本体１内に点灯ユニット４を収容し、本体１の底板１１の固定片１１０に点灯ユニット４の筐体４１をねじ止めして固定する（図１参照）。それから、作業者は、光源ユニット２を点灯ユニット４の筐体４１に取り付ける。ここで、筐体４１の下面には、放熱部材２１の２つの丸孔２１１０にそれぞれ個別に挿通される２つの突起４１１が下向きに突設されている。つまり、作業者は、放熱部材２１の固定部２１１に設けられている２つの丸孔２１１０に２つの突起４１１を個別に挿通させて位置決めするようにして、固定部２１１を筐体４１の下面に載せる。ただし、作業者は、本体１の被固定部１２が放熱部材２１の下になるように、被固定部１２と筐体４１の下面との間に固定部２１１を挿入する（図３参照）。それから、作業者は、被固定部１２のねじ挿通孔１２０に挿通したねじを、放熱部材２１の固定部２１１に設けられている第１ねじ孔２１１１にねじ込むことにより、光源ユニット２を点灯ユニット４の筐体４１に取り付ける（図３参照）。このとき、光源ユニット２のプラグコネクタ２６は、筐体４１の中央の開口部４１０Ｂの奥に配置されているレセプタクルコネクタと電気的かつ機械的に接続される。なお、固定部２１１には、丸孔２１１０の代わりに、突起４１１が嵌まる凹部が設けられても構わない。
【００３７】
続いて、作業者は、カバー５の２つの第１結合部５３を、電池ユニット３の２つの第２結合部３１０に各別に結合することによって、電池ユニット３をカバー５に固定する。すなわち、作業者は、２つの第２結合部３１０を２つの第１結合部５３にそれぞれ位置合わせした状態でカバー５の上面に電池ユニット３を押し付ける。すると、第１結合部５３の撓み片５３０が撓み、第２結合部３１０が撓み片５３０の先端を乗り越えて復帰することによって、撓み片５３０の先端が第２結合部３１０に引っ掛かる。このようにして、作業者は、電池ユニット３をカバー５に固定することができる。
【００３８】
最後に、作業者は、電池ユニット３を取り付けたカバー５を本体１に装着する。より詳細には、作業者は、一対の取付ばね７を本体１の内周面の前側及び後側にそれぞれ一対ずつ設けられる挿通溝１３に挿通することにより、本体１の下面を閉塞するようにカバー５を本体１に保持させる（図２Ｃ参照）。ここで、電池ユニット３のコネクタ部３２は、電池ユニット３が本体１内に収容される際に、点灯ユニット４の筐体４１に設けられている開口部４１０Ａを通して、点灯ユニット４の受け側のコネクタと電気的かつ機械的に接続される。以上のようにして、本実施形態に係る非常用照明装置Ｘの組立が完了する。
【００３９】
続いて、本実施形態に係る非常用照明装置Ｘの電池ユニット３の交換作業の手順を説明する。
【００４０】
交換作業を行う作業者は、取付ばね７のばね力に抗してカバー５を下向きに引っ張る。カバー５が下向きに引っ張られると、取付ばね７は、一対のばね部７０を互いに近付く向きに撓ませながら挿通溝１３内を下向きに移動し、連結部７１が仮保持部１５に当たる位置（仮保持位置）で停止する（図４参照）。そして、作業者は、一対の取付ばね７の連結部７１をそれぞれ仮保持部１５から外してカバー５及び電池ユニット３を本体１から取り外す。次に、作業者は、撓み片５３０を指で撓ませることによって第１結合部５３と第２結合部３１０の結合を解除し、カバー５から電池ユニット３を取り外す。それから、作業者は、新しい電池ユニット３をカバー５に固定した後、再び取付ばね７を挿通溝１３に挿通し、下から押し上げるようにして電池ユニット３を本体１内に収容し、かつ、カバー５を本体１の下面側に取り付ける。以上のようにして、電池ユニット３の交換作業が完了する。
【００４１】
ところで、本実施形態に係る非常用照明装置は埋込型の非常用照明装置に限定されず、天井に直付けされる直付け型の非常用照明装置であっても構わない。
【００４２】
直付け型の非常用照明装置ＸＸは、図９及び図１０に示すように、円盤状の本体１と、円錐台形状のカバー５とを有する。本体１は、天井にねじ止めされて直付けされる。点灯ユニット４は、固定金具によって本体１に固定される。また、本体１には、２つの取付ばね７が取り付けられる（図１０参照）。一方、カバー５の内周面には、２つの取付ばね７がそれぞれ個別に引っ掛けられる２つの引掛具５４が設けられている。つまり、カバー５は、これら２つの取付ばね７がそれぞれ引掛具５４に引っ掛けられることで本体１に着脱可能に取り付けられる（図９及び図１０参照）。また、電池ユニット３は、図１０に示すように、カバー５の内底面に着脱可能に固定されており、カバー５が本体１に取り付けられたときに点灯ユニット４の隣に配置される。
【００４３】
上述のように本実施形態に係る非常用照明装置Ｘ（及びＸＸ）は、本体１と、光源ユニット２と、電池ユニット３と、点灯ユニット４と、カバー５とを備える。電池ユニット３は、電池３０と、電池３０を収容する電池ケース３１とを有している。点灯ユニット４は、電池３０から供給される電力で光源ユニット２を点灯させる点灯装置４０を有して本体１に支持されている。カバー５は、光源ユニット２から放射される光が通過する窓孔５０を有して本体１に着脱可能に装着される。電池ケース３１は、カバー５に着脱可能に固定され、かつ、カバー５とともに本体１に支持されている。
【００４４】
本実施形態に係る非常用照明装置Ｘ（及びＸＸ）が上述のように構成されれば、本体１に対するカバー５の着脱と、本体１に対する電池ユニット３の着脱とが同時に実行可能とされる。そのため、本実施形態に係る非常用照明装置Ｘ（及びＸＸ）は、本体１に対するカバー５の着脱と電池ユニット３の着脱とが別々に行われる場合と比較して、電池（電池ユニット３）の交換作業の容易化を図ることができる。
【００４５】
また、本実施形態に係る非常用照明装置Ｘ（及びＸＸ）において、カバー５は、本体１と対向する後面（上面）に、１つ又は複数の第１結合部５３が設けられることが好ましい。電池ケース３１は、１つ又は複数の第１結合部５３と各別かつ着脱可能に結合する１つ又は複数の第２結合部３１０が設けられていることが好ましい。
【００４６】
本実施形態に係る非常用照明装置Ｘ（及びＸＸ）が上述のように構成されれば、第１結合部５３と第２結合部３１０が結合することでカバー５に対する電池ケース３１の着脱が容易に行われる。
【００４７】
ここで、第１結合部５３及び第２結合部３１０の構成は、図７及び図８に示した構成に限定されない。例えば、第２結合部３１０は、第１結合部５３の撓み片５３０の先端が引っ掛かる溝であっても構わない。また、埋込型の非常用照明装置Ｘにおいて、カバー５に設けられて取付ばね７を保持している保持金具５１に、第１結合部５３が一体に設けられても構わない。
【符号の説明】
【００４８】
Ｘ，ＸＸ  非常用照明装置
１  本体
２  光源ユニット
３  電池ユニット
４  点灯ユニット
５  カバー
３０  電池
３１  電池ケース
４０  点灯装置
４１  筐体
５０  窓孔
５３  第１結合部
３１０  第２結合部
【図１】
0006604568.tif 000002
【図２】
0006604568.tif 000003
【図３】
0006604568.tif 000004
【図４】
0006604568.tif 000005
【図５】
0006604568.tif 000006
【図６】
0006604568.tif 000007
【図７】
0006604568.tif 000008
【図８】
0006604568.tif 000009
【図９】
0006604568.tif 000010
【図１０】
0006604568.tif 000011